【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
キャビティが形成される金型の金型形状と前記金型が加熱される加熱条件と前記金型が冷却される冷却条件とを収集する金型条件収集部と、
前記金型形状と前記加熱条件と前記冷却条件とに基づいて、前記キャビティの表面温度を算出する金型シミュレーション部と、
前記キャビティに射出充填される樹脂の性質を収集する樹脂条件収集部と、
前記樹脂の性質と前記キャビティ表面温度とに基づいて、前記樹脂が前記キャビティに射出されたときの樹脂の挙動を算出し、
前記樹脂の挙動に基づいてキャビティに射出された樹脂から成形される成形品の性状を算出する樹脂シミュレーション部
とを具備する射出成形シミュレーション装置。
【請求項２】
請求項１において、
前記金型シミュレーション部は、前記樹脂の挙動に更に基づいて前記キャビティ表面温度を算出する
射出成形シミュレーション装置。
【請求項３】
請求項１において、
前記金型シミュレーション部は、前記樹脂の挙動とは独立して前記キャビティ表面温度を算出する
射出成形シミュレーション装置。
【請求項４】
請求項１において、
前記金型シミュレーション部は、樹脂の全量が、特定の時刻に、一瞬に充填されると樹脂充填工程をモデル化し、前記キャビティ表面温度を算出する
射出成形シミュレーション装置。
【請求項５】
請求項１において
前記金型シミュレーション部は、射出充填される樹脂の全量を複数に分割し、分割した量の各々が、それぞれ特定の時刻に、一瞬に充填されると樹脂充填工程をモデル化し、前記キャビティ表面温度を算出する
射出成形シミュレーション装置。
【請求項６】
請求項１〜請求項５のいずれかにおいて、
前記金型シミュレーション部は、前記キャビティの表面が変形する変形量を更に算出し、
前記樹脂シミュレーション部は、前記キャビティ表面の変形量に更に基づいて前記成形品性状を算出する
射出成形シミュレーション装置。
【請求項７】
請求項６において、
前記樹脂シミュレーション部は、前記樹脂から前記キャビティ表面に加わる圧力分布を更に算出し、
前記金型シミュレーション部は、前記圧力分布に更に基づいて前記変形量を算出する
射出成形シミュレーション装置。
【請求項８】
キャビティが形成される金型の金型形状と前記金型が加熱される加熱条件と前記金型が冷却される冷却条件とを収集するステップと、
前記金型形状と前記加熱条件と前記冷却条件とに基づいて、前記キャビティの表面温度を算出するステップと、
前記キャビティに射出充填される樹脂の性質を収集するステップと、
前記樹脂の性質と前記キャビティ表面温度とに基づいて、前記樹脂が前記キャビティに射出されたときの樹脂の挙動を算出し、
前記樹脂の挙動に基づいてキャビティに射出された樹脂から成形される成形品の性状を算出するステップ
とを具備する射出成形シミュレーションプログラム。
【請求項９】
請求項８において、
前記キャビティ表面温度は、前記樹脂の挙動に更に基づいて算出される
射出成形シミュレーションプログラム。
【請求項１０】
請求項８において、
前記キャビティ表面温度は、前記樹脂の挙動に独立して算出される
射出成形シミュレーションプログラム。
【請求項１１】
請求項８において、
前記キャビティ表面温度は、樹脂の全量が、特定の時刻に、一瞬に充填されると樹脂充填工程をモデル化し、算出される
射出成形シミュレーションプログラム。
【請求項１２】
請求項８において
前記キャビティ表面温度は、射出充填される樹脂の全量を複数に分割し、分割した量の各々が、それぞれ特定の時刻に、一瞬に充填されると樹脂充填工程をモデル化し、算出される
射出成形シミュレーションプログラム。
【請求項１３】
請求項８〜請求項１２のいずれかにおいて、
前記キャビティ表面が変形する変形量を算出するステップを更に具備し、
前記成形品形状は、前記変形量に更に基づいて算出される
射出成形シミュレーションプログラム。
【請求項１４】
請求項１３において、
前記樹脂から前記キャビティ表面に加わる圧力分布を算出するステップを更に具備し、
前記変形量は、前記圧力分布に更に基づいて算出される
射出成形シミュレーションプログラム。
【請求項１５】
キャビティが形成される金型の金型形状と前記金型が加熱される加熱条件と前記金型が冷却される冷却条件とを収集するステップと、
前記金型形状と前記加熱条件と前記冷却条件とに基づいて、前記キャビティの表面温度を算出するステップと、
前記金型に射出充填される樹脂の性質を収集するステップと、
前記樹脂の性質と前記キャビティ表面温度とに基づいて、前記樹脂が前記キャビティに射出されたときの樹脂の挙動を算出し、
前記樹脂の挙動に基づいて、キャビティに射出された樹脂から成形される成形品の性状を算出するステップ
とを具備する射出成形シミュレーション方法。
【請求項１６】
請求項１５において、
前記キャビティ表面温度は、前記樹脂の挙動に更に基づいて算出される
射出成形シミュレーション方法。
【請求項１７】
請求項１５において、
前記キャビティ表面温度は、前記樹脂の挙動に独立して算出される
射出成形シミュレーション方法。
【請求項１８】
請求項１５において、
前記キャビティ表面温度は、樹脂の全量が、特定の時刻に、一瞬に充填されると樹脂充填工程をモデル化し、算出される
射出成形シミュレーション方法。
【請求項１９】
請求項１５において
前記キャビティ表面温度は、射出充填される樹脂の全量を複数に分割し、分割した量の各々が、それぞれ特定の時刻に、一瞬に充填されると樹脂充填工程をモデル化し、算出される
射出成形シミュレーション方法。
【請求項２０】
請求項１５〜請求項１９のいずれかにおいて、
前記キャビティ表面が変形する変形量を算出するステップを更に具備し、
前記成形品形状は、前記変形量に更に基づいて算出される
射出成形シミュレーション方法。
【請求項２１】
請求項２０において、
前記樹脂から前記キャビティ表面に加わる圧力分布を算出するステップを更に具備し、
前記変形量は、前記圧力分布に更に基づいて算出される
射出成形シミュレーション方法。
【請求項２２】
請求項１５〜請求項２１のいずれかに記載される射出成形シミュレーション方法を実行するステップと、
前記成形品形状が不適切であるときに、前記金型形状を変更するステップと、
前記成形品形状が適切であるときに、前記金型形状を満足する本物の金型を製造するステップ
とを具備する金型製造方法。
【請求項２３】
請求項１５〜請求項２１のいずれかに記載される射出成形シミュレーション方法を実行するステップと、
前記成形品形状が不適切であるときに、前記加熱条件と前記冷却条件とを変更するステップと、
前記成形品形状が適切であるときに、前記金型形状を満足する本物の金型を用いて前記加熱条件と前記冷却条件とを満足するように射出成形するステップ
とを具備する射出成形方法。
【請求項２４】
キャビティが形成される金型の金型形状と前記金型が加熱される加熱条件と前記金型が冷却される冷却条件とを収集する金型条件収集部と、
前記金型形状と前記加熱条件と前記冷却条件とに基づいて、前記キャビティの非定常なキャビティ表面温度を算出する金型シミュレーション部と、
前記キャビティに射出充填される樹脂の性質を収集する樹脂条件収集部と、
前記樹脂の性質と前記キャビティの非定常なキャビティ表面温度とに基づいて、前記樹脂が前記キャビティに射出されたときの樹脂の挙動を算出し、
前記樹脂の挙動に基づいてキャビティに射出された樹脂から成形される成形品の性状を算出する樹脂シミュレーション部と
を具備する射出成形シミュレーション装置。
【請求項２５】
請求項２４において、
前記金型シミュレーション部は、前記樹脂の挙動に更に基づいて前記キャビティ表面温度を算出する
射出成形シミュレーション装置。
【請求項２６】
請求項２４において、
前記金型シミュレーション部は、前記樹脂の挙動とは独立して前記キャビティ表面温度を算出する
射出成形シミュレーション装置。
【請求項２７】
請求項２４〜２６のいずれかにおいて、
前記金型シミュレーション部は、前記キャビティの表面が変形する変形量を更に算出し、
前記樹脂シミュレーション部は、前記キャビティ表面の変形量に基づいて前記成形品性状を算出する
射出成形シミュレーション装置。
【請求項２８】
請求項２７において、
前記樹脂シミュレーション部は、前記樹脂から前記キャビティ表面に加わる圧力分布を更に算出し、
前記金型シミュレーション部は、前記圧力分布に更に基づいて前記変形量を算出する
射出成形シミュレーション装置。
【請求項２９】
キャビティが形成される金型の金型形状と前記金型が加熱される加熱条件と前記金型が冷却される冷却条件とを収集するステップと、
前記金型形状と前記加熱条件と前記冷却条件とに基づいて、前記キャビティの非定常な表面温度を算出するステップと、
前記キャビティに射出充填される樹脂の性質を収集するステップと、
前記樹脂の性質と前記キャビティの非定常なキャビティ表面温度とに基づいて、前記樹脂が前記キャビティに射出されたときの樹脂の挙動を算出し、
前記樹脂の挙動に基づいてキャビティに射出された樹脂から成形される成形品の性状を算出するステップと
を具備する射出成形シミュレーションプログラム。
【請求項３０】
請求項２９において、
前記キャビティ表面温度は、前記樹脂の挙動に更に基づいて算出される
射出成形シミュレーションプログラム。
【請求項３１】
請求項２９において、
前記キャビティ表面温度は、前記樹脂の挙動に独立して算出される
射出成形シミュレーションプログラム。
【請求項３２】
キャビティが形成される金型の金型形状と前記金型が加熱される加熱条件と前記金型が冷却される冷却条件とを収集するステップと、
前記金型形状と前記加熱条件と前記冷却条件とに基づいて、前記キャビティの非定常な表面温度を算出するステップと、
前記金型に射出充填される樹脂の性質を収集するステップと、
前記樹脂の性質と前記キャビティの非定常なキャビティ表面温度とに基づいて、前記樹脂が前記キャビティに射出されたときの樹脂の挙動を算出し、
前記樹脂の挙動に基づいて、キャビティに射出された樹脂から成形される成形品の性状を算出するステップと
を具備する射出成形シミュレーション方法。
【請求項３３】
請求項３２において、
前記キャビティ表面温度は、前記樹脂の挙動に更に基づいて算出される
射出成形シミュレーション方法。
【請求項３４】
請求項３２において、
前記キャビティ表面温度は、前記樹脂の挙動に独立して算出される
射出成形シミュレーション方法。